(57)【特許請求の範囲】
【請求項１】
車体パネルの車室側を覆う内装部品本体と、
前記内装部品本体の一部に設けられ、前記車体パネルと前記内装部品本体の間に設けられたエアバッグが前記車室内側に展開するのに合わせて展開する展開部と、
前記内装部品本体と前記展開部を連続的に被う表皮本体と、
前記表皮本体の端末を折り曲げて前記車体パネル側に取り付けられたウエストガーニッシュに張り込まれる張り込み部とを有する表皮と、を備え、
前記張り込み部は、前記展開部に対応する位置に、前記エアバッグの展開時に前記表皮が破れる契機となる脆弱部が設けられていることを特徴とする車両用内装部品。
【請求項２】
前記脆弱部が、直線状に連続的に形成された複数の孔やスリットから成ることを特徴とする、請求項１に記載の車両用内装部品。
【請求項３】
前記脆弱部は、前記エアバッグの展開時に前記表皮が破れた際に破れた表皮が前記展開部の周縁を覆う位置に設けられていることを特徴とする請求項１又は２に記載の車両用内装部品。
【請求項４】
前記複数の孔やスリットは、前記張り込み部の端末に向かうにつれて各孔や切り込みの間隔が小さくなっていることを特徴とする請求項２又は請求項３に記載の車両用内装部品。
【発明の詳細な説明】
【技術分野】
【０００１】
本発明は、車両用内装部品に関する。特に、ドア、リヤサイド、ラゲージサイド、ピラー、ルーフ等において、車体パネルの車室側に装着される内装部品本体と、車体パネルと内装部品本体との間に装備したエアバッグと、内装部品本体の車室側を表装する表皮と、を有する車両用内装部品に関する。
【背景技術】
【０００２】
従来、車両用エアバッグは、例えばドアトリムの内側に設けられ、衝突時に膨張展開して搭乗者を衝突時の衝撃から守る装置である。エアバッグが膨張して展開する際には、エアバッグが展開する方向のトリムの一部を変形させる必要がある。そのため、エアバッグ展開時に障害となるトリムの一部が、エアバッグの押圧で、取り付け状態から室内側へ容易に変形して、確実にエアバッグを展開させる技術が提案されている。
【０００３】
そこで、ドアトリムアッパーの上面に脆弱部を設けて、エアバッグが上方へ展開する際に、エアバッグの押圧によって、脆弱部よりも車両上方向のトリムが展開して、エアバッグの展開をスムーズに行うことができる技術が提案されている。（例えば、特許文献１参照）
【０００４】
【特許文献１】特開２００６−８８７３１号公報
【発明の開示】
【発明が解決しようとする課題】
【０００５】
図１（ａ）は、従来の車両用ドアの上部の断面を簡略的に示す断面図である。また、図１（ｂ）は図１（ａ）において、ドアアッパートリム２の上端部Ｂを簡略的に示した断面拡大図である。
【０００６】
図１（ａ）に示すように、ドアアッパートリム２は、ドアアッパー本体５、ドアアッパー表皮６と緩衝材等で構成されている。ドアアッパー本体５は、ＰＰＣ等の材料で成形され、ドアアッパートリム２の形状を構成している。ドアアッパー表皮６は、ドアアッパー本体５の車室側に貼着され、車室の美観を良くするため、例えば樹脂材または該樹脂材に塗装やクロス貼り等を施したものが利用されている。ドアセンタートリム３も同様に、ドアセンター本体７、ドアアセンター表皮８と緩衝材等で構成されている。ドアインナーパネル１４と、ドアアッパー本体５の間にエアバッグユニット１０が装備されている。また、エアバッグユニット１０の近傍のドアアッパー本体５には、エアバッグユニット１０からエアバッグが展開した際に、ドアアッパー本体５の上部に設けられた展開部２ａがスムーズに移動できるように、ヒンジ１２ａが設けられている。
【０００７】
図１（ｂ）に示すように、ドアアッパートリム２の上端部において、ドアアッパー本体５の上端に下方からウエストガーニッシュ９が接している。このウエストガーニッシュ９は、ドアアッパートリム２の上端部において上方から掛かる荷重に耐え得るように、ドアアッパー本体５と同様な材料で成形されている。ドアアッパー表皮６は、車室側から巻き込むようにドアアッパー本体５の上端からウエストガーニッシュ９にまで張り込まれている。このドアアッパー表皮６において、ウエストガーニッシュ９に貼着される領域を張り込み部１３とする。ドアアッパー表皮６によって隙間無く車室を美装することができ、搭乗者からはドアアッパー本体５やウエストガーニッシュ９が見えない。その他、図示していないが、ドアアッパー本体の端部周辺に他の部品がない場合は、張り込み部はドアアッパー本体の車体パネル側に設けられる場合もある。
【０００８】
しかしながら、図１（ｂ）で示したように、張り込み部１３は、車室側から巻き込むようにドアアッパー本体５の末端からウエストガーニッシュ９に貼着されているため、その貼着力によって、エアバッグ展開時にドアアッパー本体５を車室側へ展開させることを阻害する。また、ドアアッパー表皮６は、樹脂材が用いられているため破断しにくく、部品毎に安定した状態で切れないため、ドアアッパー本体５が展開する際に強い抵抗力を生じてしまう。
【０００９】
そこで本発明は、上記の事情に鑑みてなされたものであり、エアバッグが展開する際に、展開部が表皮に覆われている場合であっても、確実にエアバッグを展開する車両用内装部品を提供することを目的とする。
【課題を解決するための手段】
【００１０】
上記課題を解決するために、請求項１に記載の車両用内装部品は、車体パネルの車室側を覆う内装部品本体と、前記内装部品本体の一部に設けられ、前記車体パネルと前記内装部品本体の間に設けられたエアバッグが前記車室内側に展開するのに合わせて展開する展開部と、前記内装部品本体と前記展開部を連続的に被う表皮本体と、前記表皮本体の端末を折り曲げて前記車体パネル側に取り付けられたウエストガーニッシュに張り込まれる張り込み部とを有する表皮と、を備え、前記張り込み部は、前記展開部に対応する位置に、前記エアバッグの展開時に前記表皮が破れる契機となる脆弱部が設けられていることを特徴とする。
【００１１】
請求項１に記載の発明によると、エアバッグの展開方向に配置される内装部品本体には、エアバッグの展開を阻害する部分に、エアバッグの位置に対応して展開部が設けられている。そして、この内装部品本体には車室側を美装するように表皮が貼り付けられており、この表皮は、美観を向上させるために、内装部品本体の末端からはみ出るように張り込み部が設けられている。そして、展開部の辺縁の延長付近に、脆弱部が設けられている。
【００１２】
従来は、張り込み部の形状は、表皮貼り付けの仕上がりの均一化、安定化のため、展開部の有無や位置にかかわらず、一定であった。しかし、エアバッグ展開時に展開部が効率良く展開するには、表皮が、大きな要素となっていた。そこで、本発明は、表皮の展開部に対応する箇所に、内装部品本体の展開が効率良く行われるように、脆弱部を設けた。これにより、エアバッグ展開時には、この脆弱部が、表皮を破断させる基点（破断基点）になり、効率良く表皮を展開部の展開に合わせて破断できるようになった。
【００１３】
請求項２に記載の発明によると、前記脆弱部が、直線状に連続的に形成された複数の孔やスリットから成ることを特徴とする。展開部の辺縁の延長付近に、展開部の辺縁に沿う形で、張り込み部から、車内側にかけて、直線状に連続的に形成された複数の孔やスリットを設けることで、展開部が展開する際に、孔やスリットに次々と荷重が集中し、表皮が破れやすくなる。これにより、展開部の展開速度を上げることができる。また、この孔の場合は、微細な表皮針孔加工のため、表皮に同化しやすく、求めるエアバッグ展開性能に合わせて針孔加工範囲を多くしても、外観を損なうことはない。
【００１４】
請求項３に記載の発明によると、前記脆弱部は、前記エアバッグの展開時に前記表皮が破れた際に破れた表皮が前記展開部の周縁を覆う位置に設けられている。エアバッグ展開時に展開部の端部が乗員に直接接触することもなくなり、乗員の安全性を確保出来る。
【００１５】
請求項４に記載の発明によると、前記複数の孔やスリットは、前記張り込み部の端末に向かうにつれて各孔やスリットの間隔が小さくなっている。この孔の場合は微細のため、車内の美観を損なうことは少ないが、エアバッグの展開性能をさらに高めたい場合や、細部の見栄えを追求するときは、車内部ではピッチを長くとり、破断基点付近ではピッチを狭く取ることで、エアバッグの展開性能と、車内側の美観の両立ができる。このピッチの変化は、車内側と車体パネル側で分けることもできるし、破断点から車内側へ向けてピッチを大きくしていくようにすることもできる。
【発明の効果】
【００１６】
本発明によれば、エアバッグが展開する際に、展開部が表皮に覆われている場合であっても、確実にエアバッグを展開できる車両用内装部品を提供することができる。
【発明を実施するための最良の形態】
【００１７】
以下、本発明の最良の実施形態について、添付図面を参照しつつ説明する。なお、本発明の実施形態は、車両用ドアトリムに適用した例として図２乃至図７にて説明する。
【００１８】
図２は、本発明の実施形態における車両用ドア１を車室側からみた正面図である。図３は、図２の車両用ドア１のＡ−Ａ断面を簡略的に示す断面図である。図４（ａ）は、ドアインナーパネル側から、ドアアッパートリム２の構造とエアバッグ展開時の構造を表した構成図である。図４（ｂ）は、図４（ａ）の取り付け状態でのＣ部を拡大表示した構造図である。図４（ｃ）は、図４（ａ）のエアバッグ展開前後のＣ部を拡大表示した構造図である。図５は、脆弱部を、破断点から車室内側へピッチを大きくしていくように設けた場合の構成図である。図６は、脆弱部を展開部から離した場合の構成図である。図７（ａ）は、直線状の切り込みを脆弱部とする構成図である。図７（ｂ）は、Ｖ字状の切り込みを脆弱部とする構成図である。
【００１９】
図２に示すように、車両用ドア１は、ドアインナーパネル（車体パネル）１４の車室側を覆うドアトリム（車両用内装部品）が装備されている。ドアトリムは、複数に分割したトリムで構成されている。ここでは、車両用ドア１の車室側の上部にドアアッパートリム２、車両用ドア１の車室側の中央部にドアセンタートリム３、車両用ドア１の車室側の下部にドアロアトリム４が設けられている。
【００２０】
図３は、図２の車両用ドア１のＡ−Ａ断面を簡略的に示す断面図であり、また、エアバッグユニット１０が起動してエアバッグ１１が展開した状態を簡略的に示している。
【００２１】
図３に示すように、ドアアッパー本体（内装部品本体）５には、エアバッグユニット１０が取り付けてあるとともに、ドアインナーパネル１４とドアアッパー本体５の間に設けられたエアバッグ１１が、車室内側に展開するのに合わせて展開する展開部２ａが設けられている。展開部２ａは、ドアアッパー本体５に設けた薄肉部で囲われるように形成している。薄肉部は、展開部２ａの展開時にヒンジとして機能するヒンジ１２ａと、ヒンジ１２ａから上方に立ちあがってドアアッパー本体５の端部まで延在する立ち上がり部１２ｂからなっている。また、表皮には、ドアアッパートリム２と展開部２ａを連続的に覆う表皮本体６ａと、端末が折り曲げて張り込まれる張り込み部１３０とが設けられている。エアバッグユニット１０からエアバッグ１１が上方へ展開するため、エアバッグ１１の押圧によって、ドアアッパートリム２のドアアッパー本体５へ上向きの力が加わる。これを利用して、薄肉部の立ち上がり部１２ｂにおけるドアアッパー本体５の端部側から亀裂が入り、立ち上がり部１２ｂが破断するとともに、ヒンジ１２ａを軸としてエアバッグ１１の展開に必要な展開部２ａが車室側へ展開する。これにより、エアバッグ１１を展開することができる。ヒンジやエアバッグ１１の押圧で亀裂が入る部分をスリット等にして、エアバッグ１１の展開を阻害しないように工夫してもよい。
【００２２】
図４（ａ）は、ドアアッパートリム２と、ドアインナーパネル１４とドアアッパートリム２の間に装備されるエアバッグユニット１０をドアインナーパネル１４側から見たときの構造を表している。そして、エアバッグ１１の展開時の展開部２ａの位置を示している。ここで、ヒンジ１２ａから車両上側方向に薄肉部である立ち上がり部１２ｂが設けられている。この立ち上がり部１２ｂは、エアバッグ１１の展開時に、エアバッグ１１の押圧によって破断し、展開部２ａの辺縁２５となる。
【００２３】
図４（ｂ）は、図４（ａ）の取り付け状態でのＣ部を拡大表示した構造図である。エアバッグ１１が展開していないときは、脆弱部２２が、表皮本体６ａから張り込み部１３０にわたって設けられている。ここでは、脆弱部２２を、針を通して空けた針孔によって実現している。なお、脆弱部２２は図示してある針孔による必要はなく、エアバッグ１１の展開時に、展開部２ａの展開を阻害しないように表皮を破断させることができるなら、どのようなもの、例えばスリットでも構わない。
【００２４】
図４（ｃ）はエアバッグ１１の展開前と後の展開部２ａの動きと、表皮の破断の状態を簡略的に表したものである。エアバッグ１１の展開時に展開部２ａはＤ方向に展開する。そのため表皮の末端にある張り込み部１３０は、ドアアッパー本体５からウエストガーニッシュ９に張り付けられているため、展開部２ａの展開性能を阻害している。そこで、展開部２ａの辺縁部を通る展開部の辺縁２５の延長線２１上に脆弱部２２を設けることで、脆弱部２２が表皮の破断基点となる。これによって、表皮はエアバッグ１１の展開時に効率良く破断され、エアバッグ展開効率が上がる。
【００２５】
図５は、脆弱部２２を、破断点から車室内側へピッチを大きくしていくように設けた場合の構成図である。脆弱部２２である複数の孔は、張り込み部１３０の端末に向かうにつれて各孔の間隔が小さくなっている。この孔は微細のため、車内の美観を損なうことは少ないが、これにより、エアバッグの展開性能をさらに高めたい場合や、細部の見栄えを追求するときは、車内部ではピッチを長くとり、破断基点付近ではピッチを狭く取ることで、エアバッグの展開性能と車内側の美観の両立ができる。このピッチの変化は、車室内側と車体パネル側で分けることもできるし、破断点から車内側へピッチを大きくしていくようにすることもできる。
【００２６】
図６は、脆弱部２２を、展開部２ａの辺縁２５と離れるように設けた場合の構成図である。脆弱部２２を展開部２ａの辺縁の延長線２１から所定距離２７ほど展開部２ａから離しても、エアバッグ１１の展開荷重がかかれば、破断基点となりえる。つまり、ここに表したように、脆弱部２２が展開部の辺縁２５の延長線２１上になく、展開部から離れるように配した場合でも、破断基点となる。脆弱部２２を、エアバッグ１１の展開時に表皮が破れた際に破れた表皮が展開部２ａの周縁を覆う位置に設けることにより、展開部２ａの周縁（端部）２５を破れた表皮によって覆うことができる。このため、エアバッグ１１の展開時に展開部２ａの端部が乗員に接触する場合にも直接接触する事がなくなり、乗員の安全性が確保できる。
【００２７】
図７（ａ）は、展開部２ａの辺縁２５の延長線２１付近に、直線状の切り込み２８を脆弱部として設けたものである。この直線状の切り込み２８を設けることで、切り込み２８の先端部２８ａにエアバッグ展開の応力が集中し、効果的に破断する。これは、特に、強度のある材料を表皮として使用する場合等に、表皮の破断を容易にする。また、図５のように、破断部を移動させた時にも効果的である。
【００２８】
図７（ｂ）は、図７（ａ）と異なり、Ｖ字状の切り込み２９を入れたものである。図７（ａ）の態様以外にも、このように広い切り込み２９を入れることもできる。ここでは切り込みの形状をＶ字状にしているが、これはＵ字状等であっても良い。Ｖ字状にすることで、エッジ部２９ａに応力がかかり、破断基点としてドアアッパー表皮６を、破断する効果が高いと考えられる。
【００２９】
上記実施例は、ドアアッパー本体５にエアバッグユニット１０を取り付けているが、ドアインナーパネル１４にエアバッグユニット１０を取り付けてもよい。また、表皮の張り込み部１３０がウエストガーニッシュ９に張り付けられているが、ウエストガーニッシュ９が存在しない場合は、張り込み部１３０をドアアッパー本体５の裏面に巻き込んで張り付ければよい。
【００３０】
上述したように、本実施形態によれば、表皮には、展開部２ａに対応する位置に、エアバッグ１１の展開時に表皮が破れる契機となる脆弱部２２が設けられている。このため、エアバッグの展開時には、この脆弱部２２が、表皮を破断させる破断起点となり、効率良く表皮を展開部２ａの展開に合わせて破断できる。
【００３１】
例えば、脆弱部２２を直線的に連続的に形成された複数の孔やスリットによって構成することもできる。これにより脆弱部２２を簡単に形成することができる。
【００３２】
以上、本発明の好ましい実施の形態について説明したが、本発明は、特許請求の範囲の概念を逸脱しない範囲で、上記実施の形態の構造に種々の変形や変更を施すことも可能である。尚、上記では車両用内装部品の例としてドアトリムを例にとって説明したが、本発明はこれに限定されることなく、例えば、リヤサイド、ラゲージサイド等の他の車両用内装部品に適用することもできる。また、ドアアッパートリム、ドアセンタートリム、ドアロアトリムから構成されるドアトリムに代えて、一体もののドアトリムでもよい。
【図面の簡単な説明】
【００３３】
【図１】（ａ）は、従来の車両用ドアの上部の断面を簡略的に示す断面図である。また、（ｂ）は（ａ）において、ドアアッパートリム２の上端部Ｂを簡略的に示した断面拡大図である。
【図２】本発明の実施形態における車両用ドア１を車室側からみた正面図である。
【図３】図２の車両用ドア１のＡ−Ａ断面を簡略的に示す断面図である。
【図４】（ａ）は、ドアインナーパネル側から、ドアアッパートリム２の構造とエアバッグ展開時の構造を表した構成図である。（ｂ）は、（ａ）の取り付け状態でのＣ部を拡大表示した構造図である。（ｃ）は、（ａ）のエアバッグ展開前後のＣ部を拡大表示した構造図である。
【図５】脆弱部を、破断点から車室内側へピッチを大きくしていくように設けた場合の構成図である。
【図６】脆弱部を展開部から離した場合の構成図である。
【図７】（ａ）は、直線状の切り込みを脆弱部とする構成図である。（ｂ）は、Ｖ字状の切り込みを脆弱部とする構成図である。
【符号の説明】
【００３４】
１      車両用ドア
２      ドアアッパートリム
２ａ    展開部
３      ドアセンタートリム
４      ドアロアトリム
５      ドアアッパー本体
６      ドアアッパー表皮
７      ドアセンター本体
８      ドアセンター表皮
９      ウエストガーニッシュ
１０    エアバッグユニット
１１    エアバッグ
１２ａ  ヒンジ
１２ｂ  立ち上がり部
１３０    張り込み部
１４    ドアインナーパネル
１５    張り込み長
２１    辺縁の延長線
２２    脆弱部
２５    展開部の辺縁
２８    直線状脆弱部
２９    Ｖ字状脆弱部
【図１】
0005139139.tif 000002
【図２】
0005139139.tif 000003
【図３】
0005139139.tif 000004
【図４】
0005139139.tif 000005
【図５】
0005139139.tif 000006
【図６】
0005139139.tif 000007
【図７】
0005139139.tif 000008